(57)【要約】【課題】おむつの吸収性能を阻害することなく、排泄物及びそれに由来する刺激物質に対する皮膚の保護性が高い吸収性物品を提供すること。【解決手段】吸収層４及び裏面層３を有する吸収性物品１において、該吸収性物品１の所定部位に、皮膚に保護膜を形成する薬剤が、排泄物に対する皮膚の保護性及び前記吸収性物品の吸収性能が十分に発現されるような量又は状態下に保持されている。この薬剤は、炭素数４〜２２のパーフルオロアルキル基を有するフッ素系化合物からなる。【選択図】図１
2008000614.tif 000002
【特許請求の範囲】
【請求項１】
液保持性の吸収層及び液不透過性の裏面層を有する吸収性物品において、該吸収性物品の所定部位に、皮膚に保護膜を形成する薬剤、皮膚を強化させる薬剤又は皮膚と該吸収性物品との摩擦を低減させる薬剤が、排泄物に対する皮膚の保護性及び前記吸収性物品の吸収性能が十分に発現されるような量又は状態下に保持されている吸収性物品。
【請求項２】
前記裏面層と共に前記吸収層を挟持する液透過性の表面層を更に有し、該表面層に前記薬剤が保持されている請求項１記載の吸収性物品。
【請求項３】
前記薬剤が前記表面層の表面及びその近傍にのみ保持されている請求項２記載の吸収性物品。
【請求項４】
前記表面層が少なくとも２層構造となっており、最上層の表面及びその近傍にのみ又は該最上層の全体にのみ前記薬剤が保持されており、且つ前記最上層に隣接する下層が親水性である請求項３記載の吸収性物品。
【請求項５】
皮膚に保護膜を形成する前記薬剤が、炭素数４〜２２のパーフルオロアルキル基を有するフッ素系化合物からなる請求項１〜４の何れかに記載の吸収性物品。
【請求項６】
前記フッ素系化合物が、フッ素系エーテル油剤又はフッ素系エステル油剤からなる請求項５記載の吸収性物品。
【発明の詳細な説明】
【技術分野】
【０００１】
本発明は、排泄物及びそれに由来する刺激物質に対する皮膚の保護性が高い吸収性物品に関する。
【背景技術】
【０００２】
着用者の皮膚のかぶれの防止を目的とした吸収性物品として、例えば特許文献１及び特許文献２に記載のものが知られている。これらの公報には、エモリエント剤を含むローション剤がトップシートに塗られている使い捨ておむつが記載されている。このローション剤は、前記エモリエント剤をトップシートに不動化させる不動化剤を含んでいる。
【０００３】
前記公報に記載の使い捨ておむつでは、前記エモリエント剤をトップシートに不動化させるために、該エモリエント剤を前記不動化剤と共に溶融させた後にトップシートに塗工させている。前記不動化剤は炭化水素系の化合物であることから、撥水性ではあるが親油性であり、便中の親油性物質との親和性が高く、トップシートに該親油性物質が残存し易くなる。また、該親油性物質が着用者の肌に接触し易くなり、かぶれを誘発する原因となる。
【０００４】
更に、前記不動化剤は撥水性であることから、尿等がトップシートを透過しづらくなり、おむつの吸収性能が阻害される原因ともなる。
【０００５】
【特許文献１】特表平１０−５０９８９５号公報
【特許文献２】特表平１０−５０９８９６号公報
【発明の開示】
【発明が解決しようとする課題】
【０００６】
従って、本発明は、おむつの吸収性能を阻害することなく、排泄物及びそれに由来する刺激物質に対する皮膚の保護性が高い吸収性物品を提供することを目的とする。
【課題を解決するための手段】
【０００７】
本発明は、液保持性の吸収層及び液不透過性の裏面層を有する吸収性物品において、液保持性の吸収層及び液不透過性の裏面層を有する吸収性物品において、該吸収性物品の所定部位に、皮膚に保護膜を形成する薬剤、皮膚を強化させる薬剤又は皮膚と該吸収性物品との摩擦を低減させる薬剤が、排泄物に対する皮膚の保護性及び前記吸収性物品の吸収性能が十分に発現されるような量又は状態下に保持されている吸収性物品を提供することにより前記目的を達成したものである。
【発明の効果】
【０００８】
本発明の吸収性物品によれば、排泄された液の液流れの発生を防止しつつ、排泄物及びそれに由来する刺激物質に対する皮膚の保護性が高くなる。
【発明を実施するための最良の形態】
【０００９】
以下、本発明の吸収性物品の好ましい実施形態を、該吸収性物品として使い捨ておむつを例にとり図面を参照して説明する。
【００１０】
本実施形態の使い捨ておむつ１は、図１に示すように、液透過性の表面層としての表面材２と、熱可塑性樹脂のシート等からなる液不透過性の裏面層としての裏面材３と、表面材２及び裏面材３間に介在された液保持性の吸収層としての吸収体４とを有して構成されている。吸収体４は、おむつ１の股下領域に対応する領域がくびれた砂時計形状に湾曲形成され、表面材２及び裏面材３も、吸収体４の形状に即しておむつ１の股下領域に対応する領域が湾曲形成されている。そして、吸収体４は、表面材２及び裏面材３によって挟持・固定されている。
【００１１】
吸収体４の前後および左右端縁部から外方に延出する表面材２及び裏面材３によって形成される背側および腹側のウエスト部５，５’と一対のレッグ部６，６とには、おむつ１を着用した際に、ウエスト部５，５’とレッグ部６，６とを着用者の身体にフィットさせるための弾性伸縮部材７が、表面材２及び裏面材３によって固定されて設けられている。背側のウエスト部５の幅方向両端にはそれぞれテープファスナー等からなる一対の止着具８が取り付けられており、また、腹側のウエスト部５’における裏面材３上には矩形状のランディングテープ等からなる被着具（図示せず）が貼付されている。そして、本実施形態の使い捨ておむつ１が着用される際に、止着具８が被着具上に止着するようになされている。おむつ１を構成するこれらの部材としては、従来の使い捨ておむつに用いられているものと同様のものが用いられる。
【００１２】
吸収体４は、高吸収性ポリマーの粒子及び不織布を有している。高吸収性ポリマーの粒子は不織布の繊維間間隙に保持されている。高吸収性ポリマーの粒子を保持した不織布は、薄葉紙１１によってその全面が被覆されている。これによって吸収体４が構成されている。このような構成の吸収体４は、パルプ及び高吸収性ポリマーの粒子を主体として構成される従来の吸収体に比して極めて薄いものとなる。不織布を構成する繊維としては、レーヨン繊維やコットン、酢酸セルロース等の親水性繊維、ポリエチレン、ポリプロピレン等のポリオレフィン系繊維、ポリエステル、ポリアミド等の縮合系繊維、塩化ビニル、酢酸ビニル等のビニルモノマー重合体の繊維等が挙げられる。これらの繊維のうち疎水性のものは、油剤等の処理により親水化して用いても良い。
【００１３】
本実施形態のおむつ１においては、表面材２は２層構造となっており、最上層、即ち皮膚に対向する表層と、該表層に隣接する下層とから構成されている。表層と下層とは一体的になっている。表層及び下層は何れも液透過性となっている。更に、少なくとも下層が親水性となっている。表面材２の液透過性を十分に高める点からは、表層も親水性であることが好ましい。
【００１４】
少なくとも下層が親水性となっている２層構造の表面材２の例としては、以下の図２（ａ）〜図２（ｆ）に示すものなどが挙げられる。
（１）図２（ａ）に示すように、親水化処理を施した繊維からなるウエブ２ａ上に、親水化処理が施されているか又は施されていない繊維であって、前記ウエブを構成する繊維と同一又は異なる繊維からなるウエブ２ｂを積層させて積層ウエブを形成した後、該積層ウエブを熱風処理して得られるエアスルー不織布２ｃ。
（２）図２（ｂ）に示すように、紙や親水性不織布等の予めシート化された親水性基材シート２ｄ上に、例えばホットメルト粘着剤等の接着剤２ｅによって、スパンボンド、スパンボンド−メルトブローン−スパンボンド（ＳＭＳ）、スパンボンド−メルトブローン−メルトブローン−スパンボンド（ＳＭＭＳ）等の疎水性シート２ｆを接合し一体化させてなるシート２ｇ。
（３）図２（ｃ）に示すように、前記疎水性シート２ｆ上に、例えばホットメルト粘着剤等の接着剤２ｅを塗工し、更にその上にパルプ繊維やレーヨン繊維等の親水性繊維を散布し、これらの繊維からなる親水性の層２ｈを形成してなるシート２ｉ。このシートにおいては、前記疎水性シート２ｆの目から親水性繊維が露出して、液を引き込む。実使用時においては、前記疎水性シート２ｆ側を皮膚側にして使用する。
（４）図２（ｄ）に示すように、前記親水性基材シート２ｄ上に、前記疎水性シート２ｆを積層し、両者をエンボス処理して一体化させてなるシート２ｊ。
（５）図２（ｅ）に示すように、前記親水性基材シート２ｄ上に、前記疎水性シート２ｆを積層し、両者を開孔処理して一体化させてなるシート２ｋ。
（６）図２（ｆ）に示すように、前記親水性基材シート２ｄ上に、ホットメルト粘着剤やポリエチレン等の疎水性物質２ｍを、ストライプ状等の各種パターンで吹き付けて該疎水性物質の層を形成してなるシート２ｎ。
【００１５】
前述の親水化処理は、例えば非イオン界面活性剤（ポリオキシアルキレンアルキルエーテル等）などの界面活性剤の付与により行われる。
【００１６】
本実施形態のおむつ１においては、表面材２に、所定の薬剤が保持されている。具体的には、表面材２における表層の全体にのみ前記薬剤が保持されている。そして下層には前記薬剤が保持されていない。前記薬剤がこのような状態下に保持されていることによって、前記薬剤の作用による排泄物に対する皮膚の保護性が十分に発現されると共に、前記薬剤を保持させたことに起因する液の吸収阻害が防止されて、おむつ１の吸収性能が十分に発現される。また、このような保持状態は、前記薬剤が、表面材２から着用者の皮膚に移行して付着し得る状態でもある。本実施形態のような前記薬剤の保持状態は、該薬剤として、後述する撥水性及び撥油性の薬剤を用いた場合に特に有効である。本発明において吸収性能が十分に発現されるとは、後述する実施例からも明らかなように、主に、表面材の液透過が阻害されず、表面材上の液流れが起こらないことをいう。
【００１７】
前記薬剤としては、（１）皮膚に保護膜を形成する薬剤、（２）皮膚を強化させる薬剤又は（３）皮膚と該吸収性物品との摩擦を低減させる薬剤が用いられる。これらの薬剤は、おむつ１の着用によって、おむつ１から着用者の皮膚へ移行して所定の効能を発揮する。これらの薬剤は、２種以上の組み合わせで用いてもよい。以下、これらの薬剤についてそれぞれ説明する。
【００１８】
皮膚に保護膜を形成する前記薬剤（以下、保護膜形成剤という）は、着用者の皮膚へ移行して、皮膚の表面に保護膜を形成し、皮膚を物理的に保護する。保護膜形成剤としては、フッ素系油剤やフッ素系ポリマーなどのフッ素系化合物、シリコーンオイル、シリコーンゴム、オレフィンワックス、流動パラフィン、スクワラン、スクワレン、ワセリン、イソプロピルミリスチル等の脂肪酸エステル、セタノール、ステアリルアルコール等の脂肪族アルコール、２−エチルヘキサン酸トリグリセリド等のグリセリン脂肪酸エステル、植物オイル（オリーブ油等）などが挙げられる。特に、撥水性及び撥油性の薬剤であるフッ素系化合物を用いることが、排泄物、特に便及びそれに由来する親油性刺激物質の、皮膚への付着を効果的に防止し得る点から好ましい。
【００１９】
保護膜形成剤として、フッ素系化合物を用いる場合には、該化合物中は、炭素数４〜２２のパーフルオロアルキル基、特に炭素数４〜１２のパーフルオロアルキル基を有することが、保護膜形成剤の配合安定性の維持、保護膜形成剤の粘度が上昇することに起因する加工性の低下防止、保護膜形成剤の製造経費抑制等の点から好ましい。また、保護膜形成剤は、一般にポリオレフィン系の材料に保持されることが多いことから、前記フッ素系化合物は、前述のパーフルオロアルキル基に加えてアルキル基を有することが、保護膜形成剤の保持性向上の点から好ましい。特に、炭素数４〜２２、特に炭素数６〜１８のアルキル基を用いると、前記の保持性が一層向上することから好ましい。
【００２０】
保護膜形成剤としてフッ素系化合物を用いる場合には、低分子量（例えば分子量１００〜１０００）の化合物、及びオリゴマーから高分子重合体の範囲の分子量をもつもの（例えば分子量１００００〜１００００００）の何れを用いることもできる。
【００２１】
低分子量のフッ素系化合物としては、フッ素系油剤などが挙げられる。フッ素系油剤としては、フッ素系エステル油剤やフッ素系エーテル油剤などが挙げられる。
【００２２】
高分子重合体からなるフッ素系化合物としては、アクリル酸パーフルオロアルキルエステル、メタクリル酸パーフルオロアルキルエステルなどのパーフルオロアルキル基を有する単量体を用いて重合された重合体や、これらの単量体を２種以上用いて共重合された共重合体、又はこれらの単量体とパーフルオロアルキル基を有さない単量体とを用いて共重合された共重合体などが挙げられる。
【００２３】
パーフルオロアルキル基を有する単量体としては、以下の式（１）で表されるものが好ましく用いられる。一方、パーフルオロアルキル基を有さない単量体としては、以下の式（２）で表されるものが好ましく用いられる。式（１）及び（２）中、Ｒ1はＨ又はＣＨ3、特にＣＨ3が好ましい。式（１）中、Ｒ2はＣ2〜Ｃ4のアルキレン基が好ましく、Ｒｆ1はＣ4〜Ｃ22、特にＣ4〜Ｃ12のパーフルオロアルキル基が好ましい。式（２）中、Ｒ3はＣ12〜Ｃ22のアルキル基が好ましい。Ｒ3の炭素数を調整することで、ポリオレフィン系の材料に対するフッ素系化合物の保持性を向上させることができる。
【００２４】
【化１】
2008000614.tif 000003
【００２５】
各種フッ素系化合物のうち、特に配合の安定性、ハンドリーブ性、均一塗工性等の点から、低分子量のフッ素系化合物、とりわけフッ素系油剤を用いることが好ましい。高分子重合体からなるフッ素系化合物を用いる場合には、粘度上昇に起因する薄膜塗工の困難さ、例えば塗工むらや塗工液のぼた落ちを回避するために、塗工時の粘度を１００００ｍＰａ・ｓ以下とすることが好ましい。
【００２６】
皮膚を強化させる前記薬剤（以下、皮膚強化剤）は、着用者の皮膚に移行して、排泄物及びそれに由来する刺激物に対し皮膚を強化するものである。皮膚強化剤としては、天然セラミド、合成セラミド、疑似セラミドなどのセラミド類、植物エキス、収斂剤、角層柔軟化剤〔アルギニン、グアニジン誘導体、例えば、２−（２−ヒドロキシエトキシ）エチルグアニジンの有機酸塩（有機酸塩としては、コハク酸、グルコール酸、乳酸、リンゴ酸、クエン酸、酒石酸等）〕、保湿剤〔スクワラン、スクワレン、天然保湿成分（ＮＭＦ）〕などが挙げられる。特に、バリヤ補強効果の高さとコストの点から、セラミド類、植物エキス、天然保湿成分を用いることが好ましい。
【００２７】
セラミド類としては疑似セラミドを用いることが好ましい。この理由は、（１）天然セラミドは抽出が困難であり、かつ不安定であるため、及び（２）合成セラミドは高価であるためである。疑似セラミドとしては保水セラミド及びバリヤセラミドが挙げられる。保水セラミドには、ｔｙｐｅ２セラミドをリード化合物として得られたスクインゴリピッドＥ及びアクアセラミド等があり、バリヤセラミドには、ο−アシルセラミド（ｔｙｐｅ１セラミド）をリード化合物として得られたもの等がある。
【００２８】
一方、植物エキスとしては、オーツ麦エキス、海藻エキス（ヒバマタ）、柚エキス、ハマメリスエキス、ワレモコウエキス、アスナロエキス、アロエエキス、カンゾウ、オウバクエキス、スギナエキス、カミツレエキス、ユーカリエキス、桃エキス等が挙げられる。特に、植物エキスとして、柚エキス、ハマメリスエキス、アスナロエキス、アロエエキス、オウバクエキス、桃エキス及びユーカリエキスのうちの一種以上の物質を用いることで、皮膚の強化効果が一層高くなる。また高吸収性ポリマーの分解も抑制される。これらのうちでも、皮膚の強化効果の更に一層の向上及び高吸収性ポリマーの一層の分解抑制の点から、ハマメリスエキス、アスナロエキス又はユーカリエキスを用いることが好ましい。吸収性物品の製造工程で加熱処理を行う場合に防爆対応を要しない点から、前記植物エキスは、１，３−ブチレングリコール抽出物であることが好ましい。また、１，３−ブチレングリコール抽出物を用いることで、１，３−ブチレングリコールがおむつ１中に共存することになり、吸収性能の劣化が少なくなる。
【００２９】
皮膚と吸収性物品との摩擦を低減させる前記薬剤（以下、摩擦低減剤という）は、おむつなどの吸収性物品の着用中における着用者の皮膚と吸収性物品との間の摩擦を低減させるものである。摩擦低減剤としては、有機物質からなる板状結晶体、アシル化タウリン金属塩、例えば、ラウロイル−β−アラニンカルシウム、ラウロイルタウリンカルシウム金属塩、ジステアリルエーテル、セチルリン酸亜鉛ナトリウム、Ｎε−ラウロイル−Ｌ−リジン（製品名；アミホープＬＬ、味の素）、シリコーンビーズ、有機粒子（例えば、ナイロンビーズ、キトサンビーズ、超高分子量ポリエチレン）などが挙げられる。特に、優れた触感、滑らかさを付与することができる点から、有機物質からなる板状結晶体を用いることが好ましい。摩擦低減剤が粉粒体である場合、その粒径は０．０５〜５０μｍ、特に１〜２０μｍであることが好ましい。
【００３０】
前記の各薬剤は、表面材２における少なくとも液の主吸収領域に保持されている。「液の主吸収領域」とは、股下部からその前後方向へ延びる領域であり、表面材２における周縁部を除く意味である。勿論、表面材２の全面に亘って前記薬剤が保持されていてもよい。また、必要に応じて配される立体ガード形成用の不織布や、レッグ部及びウエスト部等の、おむつ内面における身体に接触し得る部分であれば、いずれの部分に施しても良い。更に、後述する実施例のように、ストライプ状に施してもよい。
【００３１】
前記薬剤は、表面材２の前記主吸収領域において、０．００１ｇ／ｍ2〜２０ｇ／ｍ2、特に０．０２ｇ／ｍ2〜１０ｇ／ｍ2の量で塗工されていることが、おむつ１の吸収性能が阻害されずに、経済的に見合う範囲で十分な効果が発現する点、及び触感の点から好ましい。
【００３２】
前記薬剤は、例えばこれを水に均一に混合し、得られた水溶液又は水分散液を表面材２に塗布する等の手段によって施される。水溶液又は水分散液における前記薬剤の濃度は０．１〜５０重量％、特に３〜２０重量％であることが、仕上がりの均一性、加工の容易さ（濃度を高めすぎること、霧状に噴霧した場合、うまく霧にならなかったり、製造設備への付着やボタ落ち等が生じる）の点から好ましい。
【００３３】
本実施形態のおむつ１においては、前記薬剤が施されている部位に、肌を滑らかにあるいは乾燥させる目的で、シッカロール、タルク、酸化チタン等の有機又は無機の微粒子を含有させても良い。該微粒子の粒径は０．０５〜５０μｍ、特に１〜２０μｍであることが前記目的が十分に達成される点から好ましい。
【００３４】
本発明は、前記実施形態に制限されない。例えば、前記実施形態においては２層構造の表面材のうちの表層の全体にのみ前記薬剤を保持させたが、これに代えて表層の表面及びその近傍にのみ前記薬剤を保持させてもよい。また、単層の表面材を用いることもでき、その場合には、表面材の表面及びその近傍にのみ前記薬剤を保持させることで同様の効果を発現させることができる。
【００３５】
また吸収体４に、従来のおむつに一般的に用いられているパルプを含有させてもよい。この場合、パルプ１００重量部に対し、高吸収性ポリマーの量は５〜３００重量部であることが好ましい。
【００３６】
また、本発明の吸収性物品は、前述した使い捨ておむつに限られず、生理用ナプキン、失禁パッド、パンティライナー、おりものシート等の他の吸収性物品にも同様に適用できる。
【実施例】
【００３７】
以下の例中、特に断らない限り「％」及び「部」は、それぞれ「重量％」及び「重量部」を意味する。
【００３８】
〔実施例１〕
保護膜形成剤としてのパーフルオロヘキシルメチル−１，３ジメチルブチルエーテル（フッ素系エーテル油剤）１０部、ポリオキシエチレンラウリルエーテル（エチレンオキシド付加モル数６）２０部、及び水１００部を混合し、均一混合液とした。
【００３９】
芯がポリプロピレンで、鞘がポリエチレンからなる芯鞘型複合繊維（３．３ｄｔｅｘ、繊維長５１ｍｍ）を前記混合液に浸漬し、該複合繊維に該混合液を付着させた。この複合繊維を乾燥させて該複合繊維に前記保護膜形成剤を付着させ且つ該複合繊維を親水化処理剤（ポリオキシエチレンラウリルエーテル硫酸ナトリウム７０重量％及びモノラウロイルフォスフェ−トカリウム塩３０重量％の混合液）で親水化した。このようにして得られた前記複合繊維をカード機にかけて、坪量１０ｇ／ｍ2の第１のウエブを得た。
【００４０】
これとは別に、ポリオキシエチレンラウリルエーテル（エチレンオキシド付加モル数６）２０部及び水１００部を混合し、均一な水溶液とした。前記複合繊維と同様の複合繊維を、この水溶液に浸漬し、該複合繊維に該水溶液を付着させた。この複合繊維を乾燥させることで、該複合繊維をポリオキシエチレンラウリルエーテルで親水化した。親水化された前記複合繊維をカード機にかけて、坪量１５ｇ／ｍ2の第２のウエブを得た。
【００４１】
第２のウエブ上に第１のウエブを重ね合わせ、温度１４０℃の熱風で処理して、第１のウエブに由来する表層と、第２のウエブに由来する下層とが一体化してなる坪量２５ｇ／ｍ2のエアスルー不織布を得た。この不織布においては、第１のウエブに由来する表層の全体に前記保護膜形成剤が付着量０．１５ｇ／ｍ2で付着していた。このようにして得られた不織布をおむつの表面材として用いた。
【００４２】
ＮＢＫＰ１００部及び高吸収性ポリマーの粒子（ポリアクリル酸架橋体）１００部を均一に混合した。その混合物を坪量２０ｇ／ｍ2の薄葉紙で包み、全体の坪量を３００ｇ／ｍ2とし、これをおむつの吸収体として用いた。
【００４３】
この吸収体の片面に前記表面材を配し、他の面に裏面材としてポリエチレン製フィルムを配した。更に、公知の止着具、弾性伸縮部材等を配して、図１に示す形態の使い捨ておむつを得た。
【００４４】
〔実施例２〕
実施例１で用いた保護膜形成剤に代えて、同様に保護膜形成剤としてのフッ素系ポリマー（単量体としてメタクリル酸パーフルオロオクチルエチルを用いて重合された重合体、数平均分子量１８０００）を用いた。該フッ素系ポリマーの繊維への付着は、フッ素系ポリマー３重量部、界面活性剤１０重量部、水１００重量部をホモジナイザーで均一混合、エマルジョン化して、実施例１記載の第１のウェブにスプレー塗工し乾燥した（エマルジョンの均一安定性を確保するために、各成分を塗工直前に調合した。）。そのときの粘度は１０ｍＰａ・ｓとした。これ以外は実施例１と同様にして使い捨ておむつを得た。
【００４５】
〔実施例３〕
実施例１で調製した混合液に、更にハマメリスエキス１部を加えた混合液を用いる以外は実施例１と同様にして使い捨ておむつを得た。
【００４６】
〔実施例４〕
実施例１で調製した混合液に、更にアスナロエキス１部を加えた混合液を用いる以外は実施例１と同様にして使い捨ておむつを得た。
【００４７】
〔実施例５〕
実施例３で用いた混合液を、予め製造しておいたエアースルー不織布の表面及びその近傍にのみ、該不織布の長手方向に沿って幅１０ｍｍ、ピッチ１０ｍｍでストライプ状（５本）に塗工した。塗工方法は、グラビア塗工方式で、乾燥後の付着量０．２０ｇ／ｍ2となるようにした。これ以外は実施例１と同様にして使い捨ておむつを得た。
【００４８】
〔比較例１〕
芯がポリプロピレンで、鞘がポリエチレンからなる芯鞘型複合繊維（３．３ｄｔｅｘ、繊維長５１ｍｍ）をカード機にかけてウエブを形成し、該ウエブを熱風で処理して坪量２５ｇ／ｍ2のエアスルー不織布を得た。この不織布の一面に、ポリオレフィンワックス１００部とミリスチルイソプロピレート２０部との混合物を、該不織布の長手方向に沿って幅１０ｍｍ、ピッチ１０ｍｍでストライプ状（５本）に塗工した。塗工部分における該混合物の坪量は、５ｇ／ｍ2とした。このようにして得られた不織布を、前記混合物が塗工された面を上面にして表面材として用いた。これ以外は実施例１と同様にして使い捨ておむつを得た。
【００４９】
〔比較例２〕
実施例１で用いた第１のウエブの坪量を２０ｇ／ｍ2に変更したウエブを製造した。このウエブを用い、実施例１と同様の条件でエアスルー不織布を得た。このようにして得られた不織布を表面材として用いた。これ以外は実施例１と同様にして使い捨ておむつを得た。この表面材には、その厚さ方向全域に亘りフッ素系化合物からなる保護膜形成剤が保持されていた。
【００５０】
〔性能評価〕
実施例及び比較例で得られた使い捨ておむつについて以下の方法で人工便の付着防止性、おむつかぶれ防止性及び表面材上の液流れ防止性を評価した。結果を表１に示す。
【００５１】
〔人工便の付着防止性〕
１５人のモニターの前腕部に、人工便（油性色素１％、オレイン酸１％、ワセリン９％、ポリエチレングリコール８９％）１ｇを付着させた。実施例及び比較例で得られたおむつを、表面材が肌に対向するように、人工便が付着した前腕部に巻き付けた。３時間経過後、おむつをはずし、人工便が付着している部分を市販のおしり拭きで拭き、拭き残しの程度を以下の３点〜１点の基準で評価した。
【００５２】
・軽く拭いても拭き残しが無くきれいに拭ける。・・３点
・軽く拭いてやや拭き残しがある。・・・・・・・・２点
・軽く拭くと拭き残しが気になる。・・・・・・・・１点
【００５３】
そして、１５名中、３点の評価をしたモニターの割合が６割以上を○、６割未満４割以上を△、４割り未満を×とした。前記の点数が大きいほど、付着防止性が高いことを意味する。
【００５４】
〔おむつかぶれ防止性〕
１５名のモニターにおむつを二週間使用させて、その間のおむつかぶれの程度を以下の基準で評価した。またおむつ使用後の高吸収性ポリマーの溶解の程度を、以下の基準で目視評価した。
【００５５】
◎・・かぶれを経験したモニターがいなかった。
○・・１〜２人のモニターがかぶれを経験した。
△・・３人以上５人以下のモニターがかぶれを経験した。
×・・半数以上のモニターがかぶれを経験した。
【００５６】
〔液流れ防止性〕
使い捨ておむつを、その表面材が上方を向くように、４５度に傾斜した板の上に固定した。おむつの上側の端部から２００ｍｍ内側の位置に、生理食塩水を５０ｇ流し、生理食塩水が表面材上を伝って流れ落ちる距離を測定した。同様の測定を３回繰り返し、各回の距離を測定した。この距離が短い程、液流れ防止性が高いことを意味する。評価は以下の基準で行った。
【００５７】
◎・・初回の液流れ距離が６０ｍｍ以下で、且つ繰り返し測定しても液流れ距離が長くならない。
○・・初回の液流れ距離が６０ｍｍ超〜１００ｍｍで、且つ繰り返し測定しても液流れ距離が長くならない。
△・・初回の液流れ距離は１００ｍｍ以下であるが、繰り返しの測定により徐々に液流れ距離が長くなる。但し、液流れ距離は２００ｍｍを超えず、おむつ端部から液が漏れることはない。
×・・初回又は繰り返しの測定で、液流れ距離が２００ｍｍを超え、おむつ端部から液が漏れ出る。
【００５８】
【表１】
2008000614.tif 000004
【００５９】
表１に示す結果から明らかなように、実施例の使い捨ておむつ（本発明品）は、フッ素系化合物からなる保護膜形成剤の作用によって、油性物質を含んでいる人工便の付着防止性に優れることが判る。比較例１のおむつでは、表面材に保持されているポリオレフィンワックスが親油性であることから、人工便の拭き残しが見られ、それに起因して、おむつかぶれが起こることが判る。
【００６０】
また、表面材の厚さ方向全域に亘りにフッ素系化合物からなる保護膜形成剤が保持されている比較例２のおむつでは、該フッ素系化合物に起因して液流れが起こり、おむつの吸収性能が阻害されていることが判る。これに対して、フッ素系化合物が、特定の状態下に保持されている実施例のおむつでは、液流れが防止されており、おむつの吸収性能が十分に発現されていることが判る。
【図面の簡単な説明】
【００６１】
【図１】本発明の吸収性物品の一実施形態としての使い捨ておむつを表面材側から見た一部破断平面図である。
【図２】図２（ａ）〜図２（ｆ）はそれぞれ、少なくとも下層が親水性となっている２層構造の表面材２を示す模式図である。
【符号の説明】
【００６２】
１  使い捨ておむつ（吸収性物品）
２  表面材
３  裏面材
４  吸収体
【図１】
2008000614.tif 000005
【図２】
2008000614.tif 000006
【手続補正書】
【提出日】平成19年8月9日(2007.8.9)
【手続補正１】
【補正対象書類名】特許請求の範囲
【補正対象項目名】全文
【補正方法】変更
【補正の内容】
【特許請求の範囲】
【請求項１】
液保持性の吸収層及び液不透過性の裏面層を有する吸収性物品において、該吸収性物品の所定部位に、皮膚に保護膜を形成する薬剤が、排泄物に対する皮膚の保護性及び前記吸収性物品の吸収性能が十分に発現されるような量又は状態下に保持されており、
皮膚に保護膜を形成する前記薬剤が、炭素数４〜２２のパーフルオロアルキル基を有するフッ素系化合物からなる吸収性物品。
【請求項２】
前記フッ素系化合物が、フッ素系エーテル油剤又はフッ素系エステル油剤からなる請求項１記載の吸収性物品。